(57)【要約】      （修正有）【課題】カートリッジの転倒を防止するとともに、カートリッジ交換を容易にするカートリッジ式純水製造装置用の架台を提供する。【解決手段】カートリッジ式純水製造装置を収容するための架台であって、カートリッジ式純水製造装置が載置される床材１０と、床材１０の周縁部に、カートリッジ式純水製造装置を収容可能な空間を有して立設される支持材２０と、支持材２０に直接又は間接に支持されて、カートリッジ式純水製造装置に供給される被処理水をフィルタリングするフィルターが収容されるフィルターハウジング１４ａ、１４ｂとを備える。【選択図】図１
0003211716.tif 000002
【実用新案登録請求の範囲】
【請求項１】
カートリッジ式純水製造装置を収容するための架台であって、
前記カートリッジ式純水製造装置が載置される床材と、
前記カートリッジ式純水製造装置を収容可能な空間を有して前記床材の周縁部に立設される支持材と、
前記支持材に直接又は間接に支持され、前記カートリッジ式純水製造装置の被処理水又は処理水をフィルタリングするフィルターが収容されるフィルターハウジングと
を備えることを特徴とするカートリッジ式純水製造装置用の架台。
【請求項２】
前記支持材に直接又は間接に支持されて、前記カートリッジ式純水製造装置に接続される計測機器を保持可能な、計測機器保持具を備えることを特徴とする請求項１に記載のカートリッジ式純水製造装置用の架台。
【請求項３】
前記支持材は、
前記カートリッジ式純水製造装置を収容可能な空間を挟んで互いに離間して立設された４本の支柱と、
前記支柱の上部に、前記支柱間の少なくとも１つを接続する第１の枠材とを備えてなることを特徴とする請求項１又は２に記載のカートリッジ式純水製造装置用の架台。
【請求項４】
前記第１の枠材の平面形状は、３つの辺を有したコの字形状である請求項３に記載のカートリッジ式純水製造装置用の架台。
【請求項５】
前記４本の支柱のうち、２本の支柱は、互いに平行して前記床材に対して傾斜して立設されるとともに、その上端が前記第１の枠材に接続された請求項３又は４に記載のカートリッジ式純水製造装置用の架台。
【請求項６】
前記支柱の略中間部に、前記支柱間の少なくとも１つを接続する第２の枠材を備えることを特徴とする請求項３乃至５のいずれか１項に記載のカートリッジ式純水製造装置用の架台。
【請求項７】
前記第２の枠材は、前記支柱間の少なくとも１つの間に設けられた横材を有してなる請求項６に記載のカートリッジ式純水製造装置用の架台。
【請求項８】
前記カートリッジ式純水製造装置を囲むように前記第１の枠材のコの字状の開口端をつなぐ着脱可能なチェーンを備える請求項４乃至７のいずれか１項に記載のカートリッジ式純水製造装置用の架台。
【請求項９】
前記第２の枠材は、前記支柱の４つの間のうち、３つの間を接続し、これら以外の1つの間をつないで前記カートリッジ式純水製造装置を囲む、着脱可能なチェーンを備える請求項６乃至８のいずれか１項に記載のカートリッジ式純水製造装置用の架台。
【請求項１０】
前記第１の枠材の側面に、円弧形状に湾曲して前記カートリッジ式純水製造装置の側面の上部をガイドする、上部ガイド板が配設された請求項３乃至９のいずれか１項に記載のカートリッジ式純水製造装置用の架台。
【請求項１１】
前記床材上に、円弧形状に湾曲して前記カートリッジ式純水製造装置の側面の下部をガイドする、下部ガイド板が立設された請求項１乃至１０のいずれか１項に記載のカートリッジ式純水製造装置用の架台。
【請求項１２】
前記計測機器は、電気伝導率計である請求項２乃至１１のいずれか１項に記載のカートリッジ式純水製造装置用の架台。
【請求項１３】
前記フィルターハウジングは、前記カートリッジ式純水製造装置の入口側と出口側に接続される請求項１乃至１２のいずれか１項に記載のカートリッジ式純水製造装置用の架台。
【考案の詳細な説明】
【技術分野】
【０００１】
本考案は、カートリッジ式純水製造装置を収容可能な架台に関する。
【背景技術】
【０００２】
少量の純水を必要とする実験室、工場等では、通常、小型のカートリッジ式の純水製造装置が使用されている。このカートリッジ式の純水製造装置は、予め外部で再生された活性の高いイオン交換樹脂を収容しているカートリッジを備えており、その後、純水製造に使用されて内部に収容されたイオン交換樹脂の活性が低下したときに、当該カートリッジが交換される。
【０００３】
図６に示すように、従来のカートリッジ式の純水製造装置Ｐは、内部に、陽イオン交換樹脂と陰イオン交換樹脂とを混合してなるイオン交換樹脂４０が充填されたボンベ状カートリッジにより構成され、水の入口側Ｉと出口側Ｔに、原水中の異物を除去する入口側フィルター４１と、ボンベ状カートリッジから異物が流出して純水中に漏出するのを防止するための出口側フィルター４２が取り付けられて使用される。また、カートリッジ式の純水製造装置Ｐには、純水の電気伝導率を測定するために電気伝導率計４３が出口側Ｔに取り付けられている。入口側フィルター４１、出口側フィルター４２及び電気伝導率計４３は、それらとカートリッジ式の純水製造装置Ｐとを接続する配管４４、配管４５と共に一体的な構造になっていて、カートリッジ式の純水製造装置Ｐの頭部Ｈでカートリッジ式の純水製造装置Ｐから取り外し自在になっていた（例えば、特許文献１参照。）。
【先行技術文献】
【特許文献】
【０００４】
【特許文献１】特開平９−２７１７７０号公報
【考案の概要】
【考案が解決しようとする課題】
【０００５】
このような従来のカートリッジ式純水製造装置Ｐでは、電気伝導率計４３によって測定された電気伝導率に基づいて、内部に収容されたイオン交換樹脂４０の劣化を感知し、その交換時期が決定される。カートリッジ式純水製造装置Ｐの交換の際には、使用済みのカートリッジ式純水製造装置Ｐの頭部Ｈから、入口側フィルター４１、出口側フィルター４２及び電気伝導率計４３が、配管４４及び配管４５と共に取り外され、新しいカートリッジ式純水製造装置Ｐの頭部Ｈに設置される。
【０００６】
このため、使用済みのカートリッジ式純水製造装置Ｐから取り外された入口側フィルター４１、出口側フィルター４２及び電気伝導率計４３は、一旦床などに置かれることになり、カートリッジ式純水製造装置Ｐの設置場所によっては、入口側フィルター４１や出口側フィルター４２、配管４４、４５などの汚染につながるという問題があった。
【０００７】
また、上記頭部Ｈにフィルターや電気伝導率計が固定されるため、カートリッジ式純水製造装置Ｐの大きさによっては自立が不安定になりやすく、大地震などの際に転倒する懸念もあった。
【０００８】
本考案は、カートリッジの転倒を防止するとともに、カートリッジ交換を容易にするカートリッジ式純水製造装置用の架台を提供することを目的とする。
【課題を解決するための手段】
【０００９】
実施形態のカートリッジ式純水製造装置用の架台は、カートリッジ式純水製造装置を収容するための架台であって、前記カートリッジ式純水製造装置が載置される床材と、前記カートリッジ式純水製造装置を収容可能な空間を有して前記床材の周縁部に立設される支持材と、前記支持材に直接又は間接に支持され、前記カートリッジ式純水製造装置の被処理水又は処理水をフィルタリングするフィルターが収容されるフィルターハウジングとを備えることを特徴とする。
【００１０】
実施形態のカートリッジ式純水製造装置用の架台は、前記支持材に直接又は間接に支持されて、前記カートリッジ式純水製造装置に接続される計測機器を保持可能な計測機器保持具を備えることが好ましい。
【００１１】
実施形態のカートリッジ式純水製造装置用の架台において前記支持材は、前記カートリッジ式純水製造装置を収容可能な空間を挟んで互いに離間して立設された４本の支柱と、前記支柱の上部に、前記支柱間の少なくとも１つを接続する第１の枠材とを備えてなることが好ましい。
【００１２】
実施形態のカートリッジ式純水製造装置用の架台において、前記第１の枠材の平面形状は、３つの辺を有したコの字形状であることが好ましい。
【００１３】
実施形態のカートリッジ式純水製造装置用の架台において、前記４本の支柱のうち、２本の支柱は、互いに平行して前記床材に対して傾斜して立設されるとともに、その上端が前記第１の枠材に接続されたことが好ましい。
【００１４】
実施形態のカートリッジ式純水製造装置用の架台は、前記支柱の略中間部に、前記支柱間の少なくとも１つの間を接続する第２の枠材を備えることが好ましい。
【００１５】
実施形態のカートリッジ式純水製造装置用の架台において、前記第２の枠材は、前記支柱間の少なくとも１つの間に設けられた横材を有してなることが好ましい。
【００１６】
実施形態のカートリッジ式純水製造装置用の架台において、前記カートリッジ式純水製造装置を囲むように前記第１の枠材のコの字状の開口端をつなぐ着脱可能なチェーンを備えることが好ましい。また、前記第２の枠材は、前記支柱の４つの間のうち、３つの間を接続し、これら以外の1つの間をつないで前記カートリッジ式純水製造装置を囲む、着脱可能なチェーンを備えることが好ましい。
【００１７】
実施形態のカートリッジ式純水製造装置用の架台において、前記第１の枠材の側面に、円弧形状に湾曲して前記カートリッジ式純水製造装置の側面の上部をガイドする、上部ガイド板が配設されることが好ましい。また、前記床材上に、円弧形状に湾曲して前記カートリッジ式純水製造装置の側面の下部をガイドする、下部ガイド板が立設されることが好ましい。
【００１８】
実施形態のカートリッジ式純水製造装置用の架台において、前記計測機器は、電気伝導率計であることが好ましい。
【００１９】
実施形態のカートリッジ式純水製造装置用の架台において、前記フィルターハウジングは、前記カートリッジ式純水製造装置の入口側と出口側に接続されることが好ましい。
【考案の効果】
【００２０】
本考案に係るカートリッジ式純水製造装置用の架台によれば、カートリッジの転倒を防止するとともに、カートリッジ交換を容易にすることができる。
【図面の簡単な説明】
【００２１】
【図１】実施形態のカートリッジ式純水製造装置用の架台を概略的に表わす図である。
【図２】図１に示すカートリッジ式純水製造装置用の架台の平面図である
【図３】図１に示すカートリッジ式純水製造装置用の架台の正面図である。
【図４】図１に示すカートリッジ式純水製造装置用の架台の側面図である。
【図５】フィルターハウジングが第１の枠材に間接に保持された状態を示す図である。
【図６】従来のカートリッジ式純水製造装を模式的に表わす図である。
【考案を実施するための形態】
【００２２】
図１は本実施形態のカートリッジ式純水製造装置用の架台１を概略的に示す図である。図２は、カートリッジ式純水製造装置用の架台１の平面図、図３は、正面図である。図４は、カートリッジ式純水製造装置用の架台１の側面図である。図２〜４において、カートリッジ式純水製造装置用の架台１に設置されるカートリッジ式純水製造装置Ｐ、及び、被処理水又は処理水が通流される配管は、破線で示している。
【００２３】
図１〜４に示すカートリッジ式純水製造装置用の架台１は、床材１０と、支持材２０を備えている。カートリッジ式純水製造装置用の架台１は、床材１０の周縁部に、カートリッジ式純水製造装置Ｐが収まる空間を挟んで立設された４本の支柱１１ａ〜１１ｄと、第１の枠材１２とを有している。第１の枠材１２は、支柱１１ａ〜１１ｄの上端に配設されており、４本の支柱１１ａ〜１１ｄの間のうち、支柱１１ａと支柱１１ｄの間を除いた支柱の間を接続して配設されている。また、支持材２０は、４本の支柱１１ａ〜１１ｄの略中間部に、支柱１１ａと支柱１１ｄ間を除いた支柱間を接続して配設された第２の枠材１３を備えている。４本の支柱１１ａ〜１１ｄ、第１の枠材１２、第２の枠材１３が支持材２０を構成している。
【００２４】
カートリッジ式純水製造装置用の架台１は、カートリッジ式純水製造装置Ｐに供給される被処理水をフィルタリングするフィルターを収容するためのフィルターハウジング１４ａ、１４ｂと、水質計等の計測機器を固定するための計測機器保持具１５を有している。フィルターハウジング１４ａ、１４ｂは第１の枠材１２に直接固定されて保持されている。計測機器保持具１５は、保持部材１５ａによって、第１の枠材１２に間接に固定されて保持されている。保持部材１５ａは略Ｌ字状の金属板等で形成される。
【００２５】
床材１０は例えば矩形状の金属板である。床材１０は、矩形以外にも、円形や楕円形等のその他の形状であってもよい。床材１０の大きさは、カートリッジ式純水製造装置Ｐの底面積よりも大きく、カートリッジ式純水製造装置Ｐを載置できる大きさであればよい。
【００２６】
図２に示すように、第１の枠材１２は、上側からみた平面形状が、３辺を有するコの字形状である。カートリッジ式純水製造装置Ｐは、コの字形状の開口端の間から収容されて、その上部が第１の枠材１２によって囲まれる。第１の枠材１２の形状はカートリッジ式純水製造装置Ｐを収容できればこれに限定されず、平面形状が例えば、カートリッジ式純水製造装置Ｐの側面に合わせた曲率を有するＵ字形状等であってもよい。
【００２７】
支柱は、カートリッジ式純水製造装置用の架台１においては支柱１１ａ〜１１ｄの４本であるが、カートリッジ式純水製造装置Ｐが収まる空間を形成できれば、３本であっても５本以上であってもよい。また、支持材２０は、支柱に代えて又は支柱と併せて、板状や網状の支持部材を有していてもよい。
【００２８】
支柱１１ａ〜１１ｄのうち、隣り合う２本の支柱１１ａ及び１１ｄが床材１０に対して傾斜を有して互いに平行に立設されており、２本の支柱１１ａ及び１１ｄの上端がそれぞれ第１の枠材１２のコの字の開口両端部１２ａに接続されている。当該２本の支柱１１ａと１１ｄの間からカートリッジ式純水製造装置Ｐが収容されるようになっている。
【００２９】
また、４本の支柱１１ａ〜１１ｄのうち、上記以外の２本の支柱１１ｂ及び１１ｃは、略直立して互いに平行に立設されている。上記カートリッジ式純水製造装置が収容される２本の支柱１１ａと１１ｄの間以外の、支柱１１ｂと１１ｃの間、支柱１１ａと１１ｂの間及び支柱１１ｃと１１ｄの間にはそれぞれ横材１３ａ〜１３ｃが各支柱間を接続して配設されている。横材１３ａ〜１３ｃは第２の枠材１３を構成する。
【００３０】
２つのフィルターハウジング１４ａ、１４ｂは、第１の枠材１２のコの字の対向する辺に直接に保持されている。フィルターハウジング１４ａ、１４ｂは、第１の枠材１２に間接に保持されてもよい。フィルターハウジング１４ａ、１４ｂが第１の枠材１２に間接に保持される場合、図５に示すように、これらは、保持部材１４ｃを用いて、第１の枠材１２に固定することができる。保持部材１４ｃは、保持部材１５ａと同様に形成される。
【００３１】
計測機器保持具１５は、第１の枠材１２の、コの字の開口に対向する辺に、保持部材１５ａによって、間接に保持されている。計測機器保持具１５は、第１の枠材１２に直接固定されて保持されてもよい。
【００３２】
なお、フィルターハウジング１４ａ、１４ｂ、計測機器保持具１５は第１の枠材１２に保持される態様に限定されず、支持材２０の任意の箇所、例えば、支柱１１ａ〜１１ｄのいずれかに保持することができる。
【００３３】
第１の枠材１２の両端部１２ａには、フック１９ａが止着されており、チェーン１６ａが、上記フックに着脱可能に配設されている。チェーン１６ａは、カートリッジ式純水製造装置用の架台１にカートリッジ式純水製造装置Ｐを収容した後にフック１９ａに掛止されてカートリッジ式純水製造装置Ｐを囲む。
【００３４】
また、カートリッジ式純水製造装置Ｐが収容される間の両側の２本の支柱１１ａと１１ｄには、支柱１１ａと１１ｄの対向する箇所にフック１９ｂが止着されており、チェーン１６ｂが、上記フック１９ｂに着脱可能に配設されている。チェーン１６ｂは、カートリッジ式純水製造装置用の架台１にカートリッジ式純水製造装置Ｐを収容した後にフックに掛止されてカートリッジ式純水製造装置Ｐを囲む。
【００３５】
また、第１の枠材１２の側面には、上部ガイド１７が配設されている。上部ガイド板１７は、カートリッジ式純水製造装置Ｐの側面の上部をガイドする。また、床材１０上には、下部ガイド板１８が配設されている。下部ガイド板１８は、カートリッジ式純水製造装置Ｐの側面の下部をガイドする。上部ガイド板１７及び下部ガイド板１８は、例えば、帯状の平板を長手方向に湾曲させて円弧形状にして構成され、第１の枠材１２又は床材１０に固定されることで、湾曲面に沿ってカートリッジ式純水製造装置Ｐの側面をガイドすることができる。
【００３６】
カートリッジ式純水製造装置用の架台１において、床材１０、支柱１１ａ〜１１ｄ、横材１３ａ〜１３ｃ、第１の枠材１２はいずれも、金属等の材料によって構成される。
【００３７】
カートリッジ式純水製造装置Ｐは、一般的に、有底円筒の上部がドーム構造により封止されて構成されたボンベ状容器の内部にイオン交換樹脂が充填されたものである。カートリッジ式純水製造装置Ｐの上部には、被処理水の給水管と、処理水の流出管が接続されている。
【００３８】
イオン交換樹脂としては、例えば、陽イオン交換樹脂、陰イオン交換樹脂、及びこれらを混合した混床式イオン交換樹脂のいずれかを使用することができる。また、陽イオン交換樹脂と陰イオン交換樹脂を積層して充填した複床式イオン交換樹脂が使用されてもよい。
【００３９】
フィルターハウジング１４ａは、ハウジング本体１４１ａと蓋１４２ａとで構成され、ハウジング本体１４１ａの上部に設けられたねじ山と、蓋１４２ａに設けられたねじ溝によって、ハウジング本体１４１ａに蓋１４２ａが固定されるようになっている。蓋１４２ａには、第１の開口と、第２の開口が設けられている。なお、第１の開口と第２の開口は、蓋１４２ａに設けられる態様に限定されず、ハウジング本体１４１ａに設けられてもよい。フィルターハウジング１４ｂも同様の構成である。
【００４０】
フィルターハウジング１４ａ、１４ｂの内部には、例えば、微粒子除去用フィルターや活性炭フィルターが収容される。カートリッジ式純水製造装置Ｐの入口側のフィルターハウジング１４ａには、繊維状活性炭、ヤシ殻活性炭等の活性炭をフィルターメディアに混合してカートリッジフィルターとした活性炭フィルターが収容されることが好ましい。このような活性炭フィルターの市販品としては、例えばロキテクノ社製１２５Ｌ−ＭＣＫ―Ｓ１２を使用することができる。カートリッジ式純水製造装置Ｐの出口側のフィルターハウジング１４ｂには、例えば、ポリプロピレン製、ポリエチレン製のデプス型、プリーツ型の微粒子除去用フィルターが収容されることが好ましい。このような微粒子除去用フィルターの市販品としては、野村マイクロ・サイエンス社製ＨＣ−１００、ＨＣＤ−０２０、ＨＣＰＣ−０２０等を使用することができる。
【００４１】
計測機器保持具１５には水質計等の計測機器が保持される。水質計が使用される場合、水質計にサンプリング管を接続して、当該サンプリング管によって、カートリッジ式純水製造装置Ｐの処理水の流出管から処理水の一部をサンプリングして、水質計に導入し、カートリッジ式純水製造装置Ｐの処理水水質を測定する。水質計は、測定された水質の値等を表示する表示部を備えていてもよい。水質計としては、電気伝導率計が好ましいが、これに限定されず、例えば、抵抗率計、ｐＨ計等であってもよい。
【００４２】
フィルターハウジング１４ａ、１４ｂ、水質計は、例えば、図２、３の破線で示すように、配管によってカートリッジ式純水製造装置Ｐに接続されて、純水の製造に使用される。カートリッジ式純水製造装置Ｐを、カートリッジ式純水製造装置用の架台１の床材１０上に載置した状態で、被処理水を導入する配管を、フィルターハウジング１４ａの第１の開口に接続し、フィルターハウジング１４ａの第２の開口と、カートリッジ式純水製造装置Ｐの給水管を配管によって接続する。
【００４３】
さらに、カートリッジ式純水製造装置Ｐの流出管をフィルターハウジング１４ｂの第１の開口に接続し、処理水を流出させる配管をフィルターハウジング１４ｂの第２の開口に接続する。
【００４４】
また、カートリッジ式純水製造装置Ｐの流出管から、カートリッジ式純水製造装置Ｐの処理水を水質計に導入するように、カートリッジ式純水製造装置Ｐと水質計をサンプリング管によって接続する。
【００４５】
被処理水を導入する配管に水道水などの原水を供給すると、原水は、フィルターハウジング１４ａ内のフィルター、カートリッジ式純水製造装置内、フィルターハウジング１４ｂ内のフィルターを順に通流して、フィルターハウジング１４ｂの第２の開口に接続された配管から純水が流出する。純水の水質としては、例えば、電気伝導率が０．１μＳ／ｃｍ以下、抵抗率が１０ＭΩ・ｃｍ以上であることが好ましい。
【００４６】
カートリッジ式純水製造装置Ｐ内のイオン交換樹脂が劣化して、処理性能が低下した際には、使用済みのカートリッジ式純水製造装置Ｐを新しいカートリッジ式純水製造装置Ｐに取り換える。
【００４７】
この際には、原水の供給を停止して、使用済みのカートリッジ式純水製造装置Ｐとフィルターハウジング１４ａ、１４ｂをつなぐ配管、及びカートリッジ式純水製造装置Ｐと水質計をつなぐ配管を取り外す。その後、使用済みのカートリッジ式純水製造装置Ｐをカートリッジ式純水製造装置用の架台１から取り外して新しいカートリッジ式純水製造装置Ｐを架台１に収容する。そして、上記したのと同様に、カートリッジ式純水製造装置Ｐとフィルターハウジング１４ａ、１４ｂ及び水質計とをそれぞれつなぎ、純水の製造を再開することができる。
【００４８】
このように、カートリッジ式純水製造装置用の架台１によれば、フィルターハウジング１４ａ、１４ｂ、水質計を一旦床などに置くことなく、カートリッジ式純水製造装置Ｐを取換えることができる。また、カートリッジ式純水製造装置Ｐが支持材２０によって囲まれているため、地震などによってカートリッジ式純水製造装置Ｐが傾いた場合にもその転倒が防止される。
【符号の説明】
【００４９】
１…カートリッジ式純水製造装置の架台、１０…床材、１１ａ，１１ｂ，１１ｃ，１１ｄ…支柱、１２…第１の枠材、１３…第３の枠材、１３ａ，１３ｂ，１３ｃ…横材、１４ａ，１４ｂ…フィルターハウジング、１４１ａ…ハウジング本体、１４２ａ…蓋、１５…計測機器保持具、１４ｃ,１５ａ…保持部材、１６ａ，１６ｂ…チェーン、１７…上部ガイド板、１８…下部ガイド板、１９ａ，１９ｂ…フック、２０…支持材、４０…イオン交換樹脂、４１…入口側フィルター、４２…出口側フィルター、４３…電気伝導率計、４４，４５…配管、Ｐ…カートリッジ式純水製造装置。
【図１】
0003211716.tif 000003
【図２】
0003211716.tif 000004
【図３】
0003211716.tif 000005
【図４】
0003211716.tif 000006
【図５】
0003211716.tif 000007
【図６】
0003211716.tif 000008
【手続補正書】
【提出日】平成29年5月31日(2017.5.31)
【手続補正１】
【補正対象書類名】実用新案登録請求の範囲
【補正対象項目名】全文
【補正方法】変更
【補正の内容】
【実用新案登録請求の範囲】
【請求項１】
カートリッジ式純水製造装置を収容するための架台であって、
前記カートリッジ式純水製造装置が載置される床材と、
前記カートリッジ式純水製造装置を収容可能な空間を有して前記床材の周縁部に立設される支持材と、
前記支持材に直接又は間接に支持され、前記カートリッジ式純水製造装置の被処理水又は処理水をフィルタリングするフィルターが収容されるフィルターハウジングと
を備えることを特徴とするカートリッジ式純水製造装置用の架台。
【請求項２】
前記支持材に直接又は間接に支持されて、前記カートリッジ式純水製造装置に接続される計測機器を保持可能な、計測機器保持具を備えることを特徴とする請求項１に記載のカートリッジ式純水製造装置用の架台。
【請求項３】
前記支持材は、
前記カートリッジ式純水製造装置を収容可能な空間を挟んで互いに離間して立設された４本の支柱と、
前記支柱の上部に、前記支柱間の少なくとも１つを接続する第１の枠材とを備えてなることを特徴とする請求項１又は２に記載のカートリッジ式純水製造装置用の架台。
【請求項４】
前記第１の枠材の平面形状は、３つの辺を有したコの字形状である請求項３に記載のカートリッジ式純水製造装置用の架台。
【請求項５】
前記４本の支柱のうち、２本の支柱は、互いに平行して前記床材に対して傾斜して立設されるとともに、その上端が前記第１の枠材に接続された請求項３又は４に記載のカートリッジ式純水製造装置用の架台。
【請求項６】
前記支柱の略中間部に、前記支柱間の少なくとも１つを接続する第２の枠材を備えることを特徴とする請求項３乃至５のいずれか１項に記載のカートリッジ式純水製造装置用の架台。
【請求項７】
前記第２の枠材は、前記支柱間の少なくとも１つの間に設けられた横材を有してなる請求項６に記載のカートリッジ式純水製造装置用の架台。
【請求項８】
前記カートリッジ式純水製造装置を囲むように前記第１の枠材のコの字状の開口端をつなぐ着脱可能なチェーンを備える請求項４乃至７のいずれか１項に記載のカートリッジ式純水製造装置用の架台。
【請求項９】
前記第２の枠材は、前記支柱の４つの間のうち、３つの間を接続し、これら以外の1つの間をつないで前記カートリッジ式純水製造装置を囲む、着脱可能なチェーンを備える請求項６又は７に記載のカートリッジ式純水製造装置用の架台。
【請求項１０】
前記第１の枠材の側面に、円弧形状に湾曲して前記カートリッジ式純水製造装置の側面の上部をガイドする、上部ガイド板が配設された請求項３乃至９のいずれか１項に記載のカートリッジ式純水製造装置用の架台。
【請求項１１】
前記床材上に、円弧形状に湾曲して前記カートリッジ式純水製造装置の側面の下部をガイドする、下部ガイド板が立設された請求項１乃至１０のいずれか１項に記載のカートリッジ式純水製造装置用の架台。
【請求項１２】
前記計測機器は、電気伝導率計である請求項２に記載のカートリッジ式純水製造装置用の架台。
【請求項１３】
前記フィルターハウジングは、前記カートリッジ式純水製造装置の入口側と出口側に接続される請求項１乃至１２のいずれか１項に記載のカートリッジ式純水製造装置用の架台。